(57)【要約】【課題】  通信中、他の端末にモニターデータとして当該通信中のデータを配信した場合、送信先毎にデータの配信先を関連づけた履歴情報に基づき、データ配信する電話主装置の技術を提供する。【解決手段】  送信元が送信先と通信中に、モニター要求およびモニター先情報を送信元より受信した場合（Ｓ１０２のＹＥＳ）に、当該通信データをモニターデータとしてモニター先へ配信し（Ｓ１０３）、送信先毎にデータの配信先を関連づけた履歴情報を記憶（Ｓ１０５）し、前記モニター要求を受信し前記モニター先情報を受信しない場合（Ｓ１０７のＹＥＳ）に、履歴情報記憶手段を参照し、通信中の送信元および送信先と関連付けられたモニター先を抽出し（Ｓ１０９）、抽出したモニター先へ現在通信中の通信データを配信する（Ｓ１１３）。【選択図】  図３
2013207400.tif 000002
【特許請求の範囲】
【請求項１】
１以上の回線を収容する電話主装置において、
前記１以上の回線のいずれかを介して通信中の通信端末から現在通信中の通信データをモニターさせる１以上のモニター先への配信を要求するモニター要求を受信するモニター要求受信手段と、
前記モニター要求に係る１以上のモニター先情報を受信するモニター先情報受信手段と、前記モニター先へ現在通信中の通信データを配信する通信データ配信手段と、前記通信データ配信手段が配信した通信データの送信元および送信先およびモニター先を関連付けて履歴情報として記憶する履歴情報記憶手段と、を有し、
通信中の回線から前記モニター要求およびモニター先情報を受信した場合に、前記通信データ配信手段は、前記受信したモニター先へ現在通信中の通信データを配信し、前記履歴情報記憶手段は、前記回線を介して通信中の送信元および送信先と関連付けて前記モニター先情報を履歴情報として記憶し、
通信中の回線から前記モニター要求を受信し前記モニター先情報を受信しない場合に、前記通信データ配信手段は、前記履歴情報記憶手段を参照し、当該回線を介して通信中の送信元および送信先と関連付けられたモニター先を抽出し、前記抽出したモニター先へ現在通信中の通信データを配信することを特徴とするモニターデータ配信機能を有する電話主装置。
【請求項２】
請求項１に記載の電話主装置であって、
通信中の回線から前記モニター要求を受信し前記モニター先情報を受信しない場合に、自電話主装置は、前記履歴情報記憶手段を参照し、当該回線を介して通信中の送信元および送信先と関連付けられたモニター先を抽出し、前記抽出したモニター先が複数存在しているならば、前記複数のモニター先の選択に係る情報を前記通信端末へ送信し、前記通信データ配信手段は、前記通信端末が選択したモニター先へ現在通信中の通信データを配信することを特徴とするモニターデータ配信機能を有する電話主装置。
【発明の詳細な説明】
【技術分野】
【０００１】
本発明は、データ通信中におけるモニターデータ配信先を選択するために好適な電話主装置の技術に関する。
【背景技術】
【０００２】
通信端末の普及とともに、例えばタブレット端末のように、画像や文書あるいは音声を他の端末に配信できる端末が増えてきた。パーソナルコンピュータ（以下ＰＣと記載）や携帯電話はもちろんのこと、有線式電話機においてもディスプレイやスピーカを搭載しており、ＴＶ会議やプレゼンス機能などにより、端末使用者は各種データをデータ共有のために目的の端末に配信することができる。
【０００３】
特許文献１には、通信相手から送信された識別子を自己の操作履歴に関連付けて記憶し、操作メニューを操作履歴に基づいて作成する通信システムが開示されている。
この通信システムは、通信相手から送信された識別子および状態に関するプレゼンス情報、および通信相手が所望する操作メニューをメニュー表示手段へ表示させるためのメニュー生成情報を受信して相手先のプレゼンス情報を抽出するための相手先情報抽出手段と、操作メニューの表示に係る複数種類のテンプレートを記憶するためのテンプレート記憶手段と、相手先情報抽出部で抽出されたプレゼンス情報と受信したメニュー生成情報に基いて、テンプレート記憶手段から対応するテンプレートを選択してメニュー表示手段へ提供するためのテンプレート情報提供手段と、を備えている。
【先行技術文献】
【特許文献】
【０００４】
【特許文献１】特開２００６−２４４１７１号公報
【発明の概要】
【発明が解決しようとする課題】
【０００５】
しかしながら、特許文献１に記載の通信システムでは、通信相手毎や通信相手の状態に基づいて操作メニューを生成するので、何の種類の通信データをどの端末へ配信されたかが履歴情報として残らない。このため、例えば、通信データ配信先の端末が同じであっても通信相手先によっては配信される通信データの種類が異なる場合、あるいは通信相手先は同じでも、配信される通信データの種類によってはデータ配信先の端末が異なる場合など、それぞれの場合に応じて配信される通信データの種類および配信先を選択、指定しなければならなかった。
【０００６】
本発明は上記事情に鑑みてなされたものであり、本発明の目的は、通信相手別にデータ通信中におけるモニターデータ配信先を、履歴情報に基づき選択可能にする電話主装置の技術を提供することである。
【課題を解決するための手段】
【０００７】
前述の課題を解決するために、本発明は、１以上の回線を収容する電話主装置において、前記１以上の回線のいずれかを介して通信中の通信端末から現在通信中の通信データをモニターさせる１以上のモニター先への配信を要求するモニター要求を受信するモニター要求受信手段と、前記モニター要求に係る１以上のモニター先情報を受信するモニター先情報受信手段と、前記モニター先へ現在通信中の通信データを配信する通信データ配信手段と、前記通信データ配信手段が配信した通信データの送信元および送信先およびモニター先を関連付けて履歴情報として記憶する履歴情報記憶手段と、を有し、通信中の回線から前記モニター要求およびモニター先情報を受信した場合に、前記通信データ配信手段は、前記受信したモニター先へ現在通信中の通信データを配信し、前記履歴情報記憶手段は、前記回線を介して通信中の送信元および送信先と関連付けて前記モニター先情報を履歴情報として記憶し、通信中の回線から前記モニター要求を受信し前記モニター先情報を受信しない場合に、前記通信データ配信手段は、前記履歴情報記憶手段を参照し、当該回線を介して通信中の送信元および送信先と関連付けられたモニター先を抽出し、前記抽出したモニター先へ現在通信中の通信データを配信することを特徴とする。
【０００８】
また、本発明は、通信中の回線から前記モニター要求を受信し前記モニター先情報を受信しない場合に、自電話主装置は、前記履歴情報記憶手段を参照し、当該回線を介して通信中の送信元および送信先と関連付けられたモニター先を抽出し、前記抽出したモニター先が複数存在しているならば、前記複数のモニター先の選択に係る情報を前記通信端末へ送信し、前記通信データ配信手段は、前記通信端末が選択したモニター先へ現在通信中の通信データを配信することを特徴とする。
【発明の効果】
【０００９】
本発明によれば、データ通信中の通信データをモニター先に配信する場合、通信データの送信元および送信先およびモニター先を関連づけた履歴情報に基づき、通信データをどのモニター先に配信するかを自動的に選択する電話主装置の技術を提供することができる。
【図面の簡単な説明】
【００１０】
【図１】本発明の１つの実施形態を表す通信システムの概略構成を示す図である。
【図２】本発明の１つの実施例における電話主装置の概構成を示す図である。
【図３】本発明の１つの実施例における主要動作を示すフローチャートである。
【図４】本発明の１つの実施例における履歴情報である。
【発明を実施するための形態】
【００１１】
本発明の実施の形態において、電話主装置とは、複数の通信端末間で画像データや文書データや音声データによる通信データの送受信や中継、交換、保存を実行し得る電話主装置（以下、主装置ともいう。）と、およびこの電話主装置上で内線動作するアプリケーションソフトウェアを含んでいる。
【００１２】
こうした通信端末としては、少なくとも有線式電話機やモバイル端末、および通信アプリケーションが動作可能なＰＣなどの情報処理手段をも含んでいる。
【００１３】
本実施の形態の通信システムの概略構成図を図１に示し、以下、図２に示す電話主装置の概略構成図および図３に示す主要動作のフローチャートに沿って説明する。
【００１４】
図１は、本発明の１つの実施形態を表す通信システムの概略図である。図示するように、本実施形態の通信システムは、主装置１の内線２が複数の通信端末（例えば１０、１１、１２、１３）に接続され、および少なくとも一つの外線３がＩＰ（Ｉｎｔｅｒｎｅｔ  Ｐｒｏｔｏｃｏｌ）網４に接続されて構成される。
【００１５】
また、ＩＰ網４は、少なくとも１つ以上の通信端末５を接続している。なお、外線３はＩＰ回線だけでなく、アナログ電話回線や携帯電話回線やＩＳＤＮ回線であってもよく、ＩＰ網４はアナログ電話網や携帯電話網やＩＳＤＮ網であってもよい。なお、本実施の形態では、通信データを配信する送信元端末を通信端末１０、通信端末１０と通信する送信先を通信端末５としている。
【００１６】
通信端末１０は、主装置１とＩＰ網４を介して通信端末５にアクセスし、コネクションを確立し、データの通信を行う。なお、通信端末１０は、主装置を介して内線２に接続されている別の通信端末との間にコネクションを確立してもよい。
【００１７】
主装置１は、通信端末１０が通信端末５との間でデータを通信中に、別の通信端末に当該通信データを配信したい旨の要求を通信端末１０より受けたとき、通信端末１０の識別情報と通信端末５の識別情報と当該通信データの種別を抽出し、その識別情報と当該通信データの種別と当該通信データの配信先に関連づけられた履歴情報を通信端末１０へ送信し、前記履歴情報に基づいた配信要求を通信端末１０の特定の操作により受けたとき、対応の通信端末へ当該通信中のモニターデータをストリーミングデータとしてモニター先へ配信する。
【００１８】
なお、前記モニター先へ配信されるモニターデータは、配信開始時点から通信端末１０が通信端末５との間で送受信した画像データまたは文書データまたは音声データのいずれかである。なお、前記画像データは、配信開始時点で既に通信端末１０に表示されている最新の画像データを含んでもよい。
【００１９】
なお、前記画像データは、ＴＶ会議などで使用される動画データやＷｅｂブラウザなどで使用される画像データなどである。
【００２０】
なお、前記文書データは、ＸＭＬデータやテキストデータやＰＤＦデータやチャット形式の文字データなどである。
【００２１】
図２は、主装置１の概略構成図である。図示するように、主装置１は、ＩＰ網４に接続するための外線インターフェース部１０１と、データ通信交換処理部１０２と、通信認識部１０３と、履歴記憶部１０４と、履歴解析処理部１０５と、内線に接続された通信端末１０、１１、１２、１３のインターフェースである内線インターフェース部１０６と、これら各部を制御する主制御部１０７を有する。
【００２２】
データ通信交換処理部１０２は、ＲＴＰ（Ｒｅａｌｔｉｍｅ  Ｔｒａｎｓｐｏｒｔ  Ｐｒｏｔｏｃｏｌ）等の伝送プロトコルに従い伝送処理を行って、外線と内線に接続された通信端末または、内線に接続された通信端末間の通信路の接続をする。
【００２３】
通信認識部１０３は、通信端末１０と通信端末５の識別、および通信中のデータを識別して、当該通信データを画像データまたは文書データまたは音声データのいずれかに分類する。また、通信端末１０が通信中に配信された当該通信データの種類とその配信先を抽出する。
【００２４】
履歴記憶部１０４は、通信端末１０と通信端末５の識別情報と、通信中に配信されたデータの種類と配信先とを関連づけた履歴情報と、当該履歴情報に基づいたデータ配信が成立した累積数とが記憶されている。
【００２５】
履歴解析処理部１０５は、通信認識部１０３で処理された抽出結果に基づき、履歴記憶部１０４に記憶されている履歴情報を抽出または更新する。
【００２６】
通信端末１０が外線３を経由して通信端末５と通信中、履歴情報を記憶する手段と履歴情報を使用して通信データを配信する手段を、図３に示すフローチャートに沿って説明する。
【００２７】
まず、主装置１の主制御部１０７は、Ｓ１０１において、通信認識部１０３により送信元である通信端末１０が送信先である通信端末５との間でデータ通信中、通信認識部１０３により内線インターフェース１０６およびデータ通信交換処理部１０２を経由して、現在通信中の通信データをモニターデータとしてモニター先へ配信するためのモニター要求を意味する通信端末１０の特定操作（例えば「モニター配信」ボタン押下）を受信すると（Ｓ１０１のＹＥＳ）、データ通信交換処理部１０２および内線インターフェース１０６を経由して、モニターデータ配信先の指定を要求する情報（例えば、「モニター先を指定してください」）を通信端末１０へ送信するのと同時に、モニターデータ配信先を指定したモニター先情報の受信待ち状態に入り、ウェイトタイマをセットする（例えば７秒）。なお、前記ウェイトタイマの値は予め設定できる。
【００２８】
次に主装置１の主制御部１０７は、前記ウェイトタイマが満了する前に、通信認識部１０３により内線インターフェース１０６およびデータ通信交換処理部１０２を経由して、モニター先情報（例えば画像データの配信先が通信端末１１、音声データの配信先が通信端末１２および１３）を通信端末１０から受信すると（Ｓ１０２のＹＥＳ）、前記モニター先情報に基づき、通信認識部１０３により当該通信中データを画像データまたは文書データまたは音声データのいずれかに分類して、データ通信交換処理部１０２および内線インターフェース１０６を経由して、モニターデータとして指定先へ配信する（例えば、画像データを通信端末１１へ配信、音声データを通信端末１２および１３へ配信）と同時に、配信が成立したかどうかを監視し、配信の成立を検出すると、データ通信交換処理部１０２および内線インターフェース１０６を経由して、データ配信中の情報（例えば、「データ配信中
画像１１  音声１２  音声１３」）を通信端末１０へ送信する（Ｓ１０３）。
【００２９】
なお、前記配信の成立とは、データ配信先よりエラーや無効を意味するレスポンスを受信しない場合を意味する。
【００３０】
なお、前記モニター要求を意味する通信端末１０の特定操作、および前記モニターデータ配信先の指定を要求する情報の送信文字列、および前記モニター先情報の送信文字列パターンおよび前記データ配信中の情報の送信文字列パターンは予め設定できる。
【００３１】
次に主装置１の主制御部１０７は、通信認識部１０３により、外線インターフェース部１０１およびデータ通信交換処理部１０２を経由して通信端末５の識別情報（例えば、通信端末５のＩＰアドレス）を抽出し、内線インターフェース１０６およびデータ通信交換処理部１０２を経由して通信端末１０の識別情報（例えば、通信端末１０の内線番号）を抽出し（Ｓ１０４）、Ｓ１０３により配信された当該モニターデータの種類とその配信先情報（例えば画像データの配信先が通信端末１１、音声データの配信先が通信端末１２および１３）と前記抽出した送信元である通信端末５と送信先である通信端末１０の識別情報を関連づけて、履歴解析処理部１０５により、履歴記憶部１０４に一つの履歴情報として編集し、記憶する。なお、前記記憶するときに予め記憶されている履歴情報があれば、前記編集された履歴情報と照合し、一致していれば、対象履歴情報の累積数を一つプラスし、一致していなければ新たな履歴情報として履歴記憶部１０４を更新する（Ｓ１０５）。
【００３２】
なお、送信先である前記通信端末５の識別情報は、ＩＰアドレスの他、ＵＲＬ（ＲＦＣ１７３８参照）や電話番号やＭＡＣアドレスやＳＩＰ−ＵＲＩ（ＲＦＣ３２６３参照）やＥメールアドレスであっても良い。また、独自のＩＤを使っても良い。また、音声認識や顔認識により検出された情報を使用しても良い。
【００３３】
なお、送信元である前記通信端末１０の識別情報は、前記主装置１の内線番号の他、ＩＰアドレスや電話番号やＭＡＣアドレスであっても良い。また、独自のＩＤを使っても良い。また、音声認識や顔認識により検出された情報を使用しても良い。
【００３４】
次に主装置１の主制御部１０７は、Ｓ１０６で前記通信端末５と通信端末１０の通信が終了したかどうかを監視し、終了を検知したら、リターン（Ｓ１０６のＹＥＳ）し、終了していなければＳ１０１のモニター要求を意味する通信端末１０の特定操作の受信待ち状態に戻る（Ｓ１０６のＮＯ）。
【００３５】
一方、主装置１の主制御部１０７は、前記ウェイトタイマが満了しても、通信認識部１０３により内線インターフェース１０６およびデータ通信交換処理部１０２を経由して、モニターデータ配信先を指定したモニター先情報を通信端末１０から受信しない場合（Ｓ１０７のＹＥＳ）、通信認識部１０３により、外線インターフェース部１０１およびデータ通信交換処理部１０２を経由して送信元である通信端末５の識別情報（例えば、通信端末５のＩＰアドレス）を抽出し、内線インターフェース１０６およびデータ通信交換処理部１０２を経由して送信先である通信端末１０の識別情報（例えば、通信端末１０の内線番号）を抽出し、通信中のデータを識別して、当該データを画像または文書または音声かのいずれかに分類（例えば、画像および音声）する（Ｓ１０８）。
【００３６】
次に主装置１の主制御部１０７は、履歴解析処理部１０５により、履歴記憶部１０４に記憶されている履歴情報と、Ｓ１０８で抽出した通信端末１０と通信端末５の識別情報と前記通信中のデータの分類情報とを照合し、一致している履歴情報を抽出する（Ｓ１０９）。
【００３７】
なお、一致条件としては、前記識別情報が一致していること、および前記通信中のデータの分類情報が当該履歴情報の配信されたデータの種類と一致する、または包含することである。
【００３８】
次に主装置１の主制御部１０７は、前記一致している履歴情報が単一か複数かを判断し、単一であるとき（Ｓ１１０のＹＥＳ）、データ通信交換処理部１０２および内線インターフェース１０６を経由して当該履歴情報に基づき、データの種類とモニター先情報（例えば、「データ配信を実行しますか？
画像１１  音声１２  音声１３」）を通信端末１０へ送信するのと同時に、配信了解情報の受信待ち状態に入り、ウェイトタイマをセットする（例えば７秒）（Ｓ１１１）。
【００３９】
なお、前記データの種類とモニター先情報の送信文字列パターン、および情報前記ウェイトタイマの値は予め設定できる。
【００４０】
次に主装置１の主制御部１０７は、前記ウェイトタイマが満了する前に、通信認識部１０３により内線インターフェース１０６およびデータ通信交換処理部１０２を経由して、配信了解を意味する通信端末１０の特定操作（例えば「ＯＫ」ボタン押下）を通信端末１０から受信すると（Ｓ１１２のＹＥＳ）、前記情報一致している履歴情報に基づき、通信認識部１０３により当該通信中データをデータ通信交換処理部１０２および内線インターフェース１０６を経由して、モニターデータとして指定先へ配信する（例えば、画像データを通信端末１１へ配信、音声データを通信端末１２および１３へ配信）のと同時に、配信が成立したかどうかを監視し、配信の成立を検出すると、データ通信交換処理部１０２および内線インターフェース１０６を経由して、データ配信中の情報（例えば、「データ配信中
画像１１  音声１２  音声１３」）を通信端末１０へ送信（Ｓ１１３）し、Ｓ１０５に移行して、履歴記憶部１０４を更新する。
【００４１】
なお、前記配信了解を意味する通信端末１０の特定操作、および前記データ配信中の情報の送信文字列パターンは予め設定できる。
【００４２】
一方、主装置１の主制御部１０７は、前記ウェイトタイマが満了する前に、通信認識部１０３により内線インターフェース１０６およびデータ通信交換処理部１０２を経由して、配信拒否を意味する通信端末１０の特定操作（例えば「ＮＧ」ボタン押下）を通信端末１０から受信すると（Ｓ１１４のＹＥＳ）、データ通信交換処理部１０２および内線インターフェース１０６を経由して無効情報（例えば、「データ配信を中止します。」）を通信端末１０へ送信する（Ｓ１１６）。
【００４３】
なお、前記配信拒否を意味する通信端末１０の特定操作、および前記無効情報の送信文字列は予め設定できる。
【００４４】
一方、主装置１の主制御部１０７は、前記ウェイトタイマが満了しても、通信認識部１０３により内線インターフェース１０６およびデータ通信交換処理部１０２を経由して、前記配信了解または前記配信拒否を意味する通信端末１０の特定操作を受信しない場合（Ｓ１１５のＹＥＳ）、データ通信交換処理部１０２および内線インターフェース１０６を経由して無効情報（例えば、「データ配信を中止します。」）を通信端末１０へ送信する（Ｓ１１６）。なお、前記無効情報の送信文字列は予め設定できる。
【００４５】
一方、Ｓ１１０で前記一致している履歴情報が複数であるとき（Ｓ１１７のＹＥＳ）、
主装置１の主制御部１０７は、データ通信交換処理部１０２および内線インターフェース１０６を経由して当該履歴情報に基づき、データの種類とモニター先情報の候補（例えば、「データ配信を実行します。モニター先を選択してください。
候補１：画像１１  音声１２  音声１３、候補２：画像１４  音声１５  音声１６」）を通信端末１０へ送信するのと同時に、モニター先の選択情報の受信待ち状態に入り、ウェイトタイマをセットする（例えば７秒）（Ｓ１１８）。
【００４６】
なお、前記データの種類とモニター先情報の送信文字列パターン、および情報前記ウェイトタイマの値は予め設定できる。
【００４７】
次に主装置１の主制御部１０７は、前記ウェイトタイマが満了する前に、通信認識部１０３により内線インターフェース１０６およびデータ通信交換処理部１０２を経由して、選択されたモニターデータ配信先を指定したモニター先情報（例えば、候補２：画像１４  音声１５  音声１６）を通信端末１０から受信すると（Ｓ１１９のＹＥＳ）、前記モニター先情報に基づき、通信認識部１０３により当該通信中データをデータ通信交換処理部１０２および内線インターフェース１０６を経由して、モニターデータとして指定先へ配信する（例えば、画像データを通信端末１４へ配信、音声データを通信端末１５および１６へ配信）のと同時に、配信が成立したかどうかを監視し、配信の成立を検出すると、データ通信交換処理部１０２および内線インターフェース１０６を経由して、データ配信中の情報（例えば、「データ配信中
画像１４  音声１５  音声１６」）を通信端末１０へ送信する（Ｓ１２０）し、Ｓ１０５に移行して、履歴記憶部１０４を更新する。
【００４８】
一方、主装置１の主制御部１０７は、前記ウェイトタイマが満了する前に、通信認識部１０３により内線インターフェース１０６およびデータ通信交換処理部１０２を経由して、配信拒否を意味する通信端末１０の特定操作（例えば「ＮＧ」ボタン押下）を通信端末１０から受信すると（Ｓ１２１のＹＥＳ）、データ通信交換処理部１０２および内線インターフェース１０６を経由して無効情報（例えば、「データ配信を中止します。」）を通信端末１０へ送信する（Ｓ１１６）。なお、前記無効情報の送信文字列は予め設定できる。
【００４９】
一方、主装置１の主制御部１０７は、前記ウェイトタイマが満了しても、通信認識部１０３により内線インターフェース１０６およびデータ通信交換処理部１０２を経由して、前記選択されたモニターデータ配信先を指定したモニター先情報または前記配信拒否を意味する通信端末１０の特定操作を通信端末１０から受信しない場合（Ｓ１２２のＹＥＳ）、データ通信交換処理部１０２および内線インターフェース１０６を経由して無効情報（例えば、「データ配信を中止します。」）を通信端末１０へ送信する（Ｓ１１６）。なお、前記無効情報の送信文字列は予め設定できる。
【００５０】
一方、Ｓ１１０で前記一致している履歴情報が無かった場合（Ｓ１１７のＮＯ）、主装置１の主制御部１０７は、データ通信交換処理部１０２および内線インターフェース１０６を経由して無効情報（例えば、「該当の履歴情報はありません。データ配信を中止します。」）を通信端末１０へ送信する（Ｓ１２３）。なお、前記無効情報の送信文字列は予め設定できる。
【００５１】
次に送信元である通信端末１０が外線３を経由して送信先である通信端末５と通信中、当該通信データをモニターデータとしてモニター先へ配信したときの履歴情報記憶手段、および通信端末１０からモニター要求を受信したが、モニター先情報を受信しない場合の前記履歴情報の参照、抽出手段を、図４を用いて説明する。
【００５２】
図４は履歴記憶部１０４に記憶される履歴情報のテーブル例である。テーブル４１は、履歴解析処理部１０５からの履歴情報を記憶するためのものであり、それぞれの履歴情報は、履歴情報の項番である「履歴番号」、通信データの配信が成立した通信端末の識別情報を記憶するための「送信元端末の識別情報」、前記通信端末の送信先の識別情報を記憶するための「送信先の識別情報」、当該通信データの配信先である通信端末の識別情報を記憶するための「通信データ配信先」および対象の履歴情報が抽出され、当該履歴情報に基づきデータ配信が成立した累積数を記憶するための「累積数」からなる。
【００５３】
なお、前記「通信データ配信先」は「画像」、「文書」および「音声」からなり、画像データ配信先の通信端末の識別情報は「画像」に、文書データ配信先の通信端末の識別情報は「文書」に、音声データ配信先の通信端末の識別情報は「音声」にそれぞれ分類されて記憶してある。
【００５４】
なお、前記「累積数」の値は、初期で「１」が記憶されていて、累積される毎に一つずつプラスされて行く。
【００５５】
主装置１の主制御部１０７は、通信端末１０が外線３を経由して通信端末５と通信中、当該通信データをモニターデータとしてモニター先への配信が成立した場合、通信端末５の識別情報（例えば、ＩＰアドレス１２３．１５６．１．１）および通信端末１０の識別情報（この場合、１０）を抽出し、配信された当該モニターデータの種類とその配信先情報（例えば画像データの配信先が通信端末１１、音声データの配信先が通信端末１２および１３）に基づき、履歴解析処理部１０５により、履歴記憶部１０４に一つの履歴情報として編集し、記憶する（この場合、記憶する情報は「送信元端末の識別情報」の値が１０、「送信先の識別情報」の値が１２３．１５６．１．１、「通信データ配信先」の「画像」の値が１１、「通信データ配信先」の「音声」の値が１２と１３）。なお、前記記憶するときに予め記憶されている履歴情報があれば、前記編集された履歴情報と照合し、一致していれば、対象履歴情報の累積数を一つプラスし、一致していなければ新たな履歴情報として履歴記憶部１０４を更新する。
【００５６】
なお、「送信先の識別情報」は、ＩＰアドレスの他、ＵＲＬ（ＲＦＣ１７３８参照）や電話番号やＭＡＣアドレスやＳＩＰ−ＵＲＩ（ＲＦＣ３２６３参照）やＥメールアドレスであっても良い。また、独自のＩＤを使っても良い。また、音声認識や顔認識により検出された情報を使用しても良い。
【００５７】
なお、「送信元端末の識別情報」は、前記主装置１の内線番号の他、ＩＰアドレスや電話番号やＭＡＣアドレスであっても良い。また、独自のＩＤを使っても良い。また、音声認識や顔認識により検出された情報を使用しても良い。
【００５８】
主装置１の主制御部１０７は、通信端末１０が外線３を経由して通信端末５と通信中、通信端末１０からモニター要求を受信したが、モニター先情報を受信しない場合、通信認識部１０３により抽出した通信端末５の識別情報（例えば、ＩＰアドレス１２３．１５６．１．１）および通信端末１０の識別情報（例えば、内線番号１０）、および通信中のデータを識別し分類した値（例えば、画像および音声）に基づいて、履歴解析処理部１０５により履歴記憶部１０４に記憶されている履歴情報の中から、前記「送信元端末の識別情報」が通信端末１０の識別情報（この場合、１０）および前記「送信先の識別情報」が通信端末５の識別情報（この場合、１２３．４５６．１．１）の履歴情報４２を抽出し、さらに当該履歴情報の中から「通信データ配信先」のデータの種類が、前記通信中のデータの種類（この場合、画像および音声）と一致、または包含される履歴情報４３を抽出する。                    
【００５９】
なお、前記「送信元端末の識別情報」は、前記主装置１の内線番号の他、ＩＰアドレスや電話番号やＭＡＣアドレスであっても良い。なお、独自のＩＤを使っても良い。また、音声認識や顔認識により検出された情報を使用しても良い。
【００６０】
なお、前記「送信先の識別情報」は、ＩＰアドレスやＵＲＬ（ＲＦＣ１７３８参照）の他、電話番号やＭＡＣアドレスやＳＩＰ−ＵＲＩ（ＲＦＣ３２６３参照）やＥメールアドレスであっても良い。なお、独自のＩＤを使っても良い。また、音声認識や顔認識により検出された情報を使用しても良い。
【００６１】
なお、前記「通信データ配信先」の記憶情報は、前記主装置１の内線番号の他、電話番号やＩＰアドレスやＭＡＣアドレスであっても良い。なお、独自のＩＤを使っても良い。また、音声認識や顔認識により検出された情報を使用しても良い。
【００６２】
また、上記の実施の形態では通信データを主装置１の内線２に接続された通信端末に配信する場合を例に取り説明したが、本発明はこれに限定されず、主装置１の外線３を介してＩＰ網４に接続された通信端末への通信データの配信も同様に適用できる。
【００６３】
また、上記の実施の形態ではデータ配信要求元が主装置１の内線２に接続された通信端末である場合を例に取り説明したが、本発明はこれに限定されず、主装置１の外線３を介してＩＰ網４に接続された通信端末がデータ配信要求元である場合も同様に適用できる。
【００６４】
また、上記の実施の形態では通信中の送信元および送信先と関連付けられたモニター先の履歴情報が複数存在する場合、当該履歴情報の全てを送信元端末へ送信する例を説明したが、履歴情報が複数存在する場合、当該履歴の中から履歴累積数が最頻値（Ｍｏｄ）の履歴情報を抽出して送信元端末へ送信しても良いし、当該履歴情報にプライオリティーを付けて（例えば、履歴累積数の大きい順や、履歴情報が記憶された時刻と関連づけて、記憶された時刻が新しいもの順）順次送信元端末へ送信しても良いし、当該履歴の中から予め指定されたモニター先が含まれる履歴情報のみを抽出して送信元端末へ送信しても良い。
【符号の説明】
【００６５】
１      主装置
２      内線
３      外線
４      ＩＰ網
５、１０〜１３  通信端末
１０１  外線インターフェース部
１０２  データ通信交換処理部
１０３  通信認識部
１０４  履歴記憶部
１０５  履歴解析処理部
１０６  内線インターフェース部
１０７  主制御部
【図１】
2013207400.tif 000003
【図２】
2013207400.tif 000004
【図３】
2013207400.tif 000005
【図４】
2013207400.tif 000006